(57)【要約】      （修正有）【課題】配線作業に際し壁を最小限に壊すので内装材（クロス等）の貼り替えなどの補修工事が掛からないリフォーム用配線収納巾木造作材を提供する。【解決手段】配線収納巾木造作材本体Ａに配線収納カバー差込み溝Ｄ（メス）を設け、配線収納カバーＢに組み込み口Ｅ（オス）を設け、配線収納カバーＢの下には床と圧縮力で固定する為のパッキンＦと床と巾木の隙間を調整する、配線収納巾木造作材隙間調整固定ライナーＧを設置し、配線を固定する為の、配線収納巾木固定背板Ｃを設けた。【選択図】図２
2011021450.tif 000002
【特許請求の範囲】
【請求項１】
配線収納巾木造作材本体（Ａ）に配線収納巾木カバー造作材差込み溝（Ｄ）（メス）を設け、配線収納巾木カバー造作材（Ｂ）に組み込み口（Ｅ）（オス）を設け、配線を固定する為の、配線収納巾木造作材固定背板（Ｃ）を設け、配線収納巾木カバー造作材（Ｂ）を床と固定する為の、配線収納巾木造作材固定パッキン（Ｆ）と床と巾木の隙間を調整する、配線収納巾木造作材隙間調整固定ライナー（Ｇ）、を設けた、リフォーム用配線収納巾木造作材である。
【発明の詳細な説明】
【技術分野】
【０００１】  この発明は、配線収納巾木造作材本体（Ａ）に配線収納カバー差込み口（Ｄ）（メス）を設け、配線収納巾木カバー造作材（Ｂ）に組み込み口（Ｅ）（オス）を設け、配線収納巾木カバー造作材（Ｂ）の下には床と固定する為の、配線収納巾木造作材固定パッキン（Ｆ）を設置し、巾木と床の隙間を調整する為の、配線収納巾木造作材隙間調整固定ライナー（Ｇ）を設け、配線を固定する為の、配線収納巾木造作材固定背板（Ｃ）を設けたリフォーム用配線収納巾木造作材に関するものである
【背景技術】
【０００２】  現在、急速に普及しているインターネットなどにおいて屋内で使用するラン配線や光ケーブルを部屋の隅々まで配線するのに、露出で床にはわせて配線する方法が既存住宅で行われることは普通で、隠して配線を部屋の各所にもってゆくことが既存の住宅では不可能であった。又、パソコンを他の場所で使用するときなどにおいても光ケーブルやラン配線を露出で床にはわす方法が一般的な配線方法であり、他の方法は無かった。又、テレビのアンテナの差し込み口が無い場所にテレビを設置してテレビを見る時など、床に露出で配線することは避けたいが、今まではこの様なリフォーム用配線収納巾木造作材に納める方法が無く、露出で配線モールなどに納めて配線していたのが普通であった。又、部屋の中に何か配線を施したい場合（※他の場所に照明器具を取り付けたい場合や、スイッチやコンセントを増設したい場合など）壁を壊し壁の中から配線を出し直し、内装を貼り替え補修で復旧していた。又、電気器具や電話機を移動したい時など配線を露出で他の場所へ持ってゆくか配線を露出のモールの中に隠くすかの方法で処理していた。
【発明の開示】
【発明が解決しようとする課題】
【０００３】  これは、次のような欠点があった。
（イ）新たに部屋の中に配線する場合壁を広範囲わたり、壊さなければ配線出来なかった。
（ロ）部屋の他の場所に配線を持ってゆく場合露出配線となってしまった。
（ハ）内装材のクロスや石膏ボードなどを壊して、を貼り替えをしなければならなかった。
本発明は、以上のような欠点をなくすためになされたものである。
【課題を解決するための手段】
【０００４】  配線収納巾木造作材本体（Ａ）に配線収納巾木カバー造作材（Ｂ）に差込み溝（Ｄ）（メス）を設け、配線収納巾木カバー造作材（Ｂ）に組み込み口（Ｅ）（オス）を設け、配線収納巾木カバー造作材（Ｂ）と床を固定する為の配線収納巾木造作材固定パッキン（Ｆ）を設置し、配線を固定する為の、配線収納巾木造作材固定背板（Ｃ）を設け、床と巾木の隙間を調整する為の、配線収納巾木造作材隙間調整固定ライナー（Ｇ）を設けた、リフォーム用配線収納巾木造作材である。取り付け方法は、既存の巾木を取り外し、石膏ボードを巾木と同じ大きさに切断撤去し（おおむね６０ｍｍから８０ｍｍ）、配線を固定する為の、配線収納巾木固定背板（Ｃ）を既存建物の間柱に釘止めか、ビス止めし、固定、配線収納巾木隙間調整ライナー（Ｇ）の溝の中に、配線収納巾木カバー造作材固定パッキン（Ｆ）を入れて、一体とした（Ｇ）及び（Ｆ）を、配線収納巾木カバー造作材（Ｂ）の下側に組み込み、さらに、一体とした、（Ｇ）、（Ｆ）及び（Ｂ）を、配線収納巾木造作材本体（Ａ）に設置してある溝、配線収納巾木カバー造作材差込み口（Ｄ）（メス）に、配線収納巾木カバー造作材（Ｂ）に設置してある、配線収納巾木カバー造作材組み込み口（Ｅ）（オス）を差し込み、全体を固定する構造である。又、建物の壁の中から配線を取り出したい場合、（※他の場所に照明器具を取り付けたい場合や、スイッチやコンセントを増設したい場合など）既存建物の下枠材等をドリルなどで貫通させ、その中から配線を取り出し、配線収納巾木固定背板（Ｃ）に配線をステップルなどで固定した後、配線収納巾木隙間調整ライナー（Ｇ）の溝の中に、配線収納巾木カバー造作材固定パッキン（Ｆ）を入れて、一体とした（Ｇ）及び（Ｆ）を、配線収納巾木カバー造作材（Ｂ）の下側に組み込み、さらに、一体とした、（Ｇ）、（Ｆ）及び（Ｂ）を、配線収納巾木造作材本体（Ａ）に設置してある溝、配線収納巾木カバー造作材差込み口（Ｄ）（メス）に、配線収納巾木カバー造作材（Ｂ）に設置してある、配線収納巾木カバー造作材組み込み口（Ｅ）（オス）を差し込み、全体を固定する構造である。本発明は以上の構成による、リフォーム用配線収納巾木造作材である。
【発明の効果】
【０００５】  現在、急速に普及しているインターネットなどにおいて使用するラン配線や光ケーブルを既存の住宅の部屋の隅々まで配線するのに、露出配線するのではなく配線を隠して部屋の各所に持ってゆき、パソコン及び周辺機器（プリンターやコピー機など）に接続して使い、光ケーブル線をリフォーム用配線収納巾木造作材に納めることは光ケーブル配線を保護する目的も兼ねている。又、テレビのアンテナ差し込み口が無い場所でテレビを見たい場合など、テレビのアンテナ線をリフォーム用配線収納巾木の中に納めて部屋の隅々へ配線すれば綺麗に整然と配線を納めることが出来る。並びに、既存住宅においては、照明器具を新たに設置したい場合やスイッチ及びコンセントなどを増設する場合など、壁の中の配線を他の場所へ移動なければならない事が生じてくる。又、部屋内部の露出になっている電気器具や電話機を移動する際、電話線や電気コードなどを隠して配線したい場合、このリフォーム用配線収納巾木造作材の中に収納して綺麗に整然と収める事ができる。又、配線作業に際し壁を最小限に壊すので内装材などの貼り替えなどの補修工事が掛からない事が最大の特徴である。既存の巾木を取り外し、石膏ボードを巾木と同じ大きさに切断撤去し（おおむね６０ｍｍから８０ｍｍ）、配線を固定する為の、配線収納巾木固定背板（Ｃ）を既存建物の間柱に釘止めか、ビス止めし、固定、配線収納巾木本体（Ａ）（メス）を切断撤去した石膏ボード部分に差し込み、既存建物構造体の間柱等にフィニッシュ等で釘止めし固定、配線完了後、配線収納巾木隙間調整ライナー（Ｇ）の溝の中に、配線収納巾木カバー造作材固定パッキン（Ｆ）を入れて、一体とした（Ｇ）及び（Ｆ）を、配線収納巾木カバー造作材（Ｂ）の下側に組み込み、さらに、一体とした、（Ｇ）、（Ｆ）及び（Ｂ）を、配線収納巾木造作材本体（Ａ）に設置してある溝、配線収納巾木カバー造作材差込み口（Ｄ）（メス）に、配線収納巾木カバー造作材（Ｂ）に設置してある、配線収納巾木カバー造作材組み込み口（Ｅ）（オス）を差し込み、床との圧縮力によって、全体を固定する構造である。又、建物の壁の中から配線を取り出したい場合（※他の場所に照明器具を取り付けたい場合や、スイッチやコンセントを増設したい場合など）既存建物の構造材や下地材等の下枠材に、ドリルなどで貫通させ、その中から配線を取り出し、配線収納巾木造作材固定背板（Ｃ）に配線をステップルなどで固定した後、配線収納巾木造作材隙間調整ライナー（Ｇ）の溝の中に、配線収納巾木カバー造作材固定パッキン（Ｆ）を入れて、一体とした（Ｇ）及び（Ｆ）を、配線収納巾木カバー造作材（Ｂ）の下側に組み込み、さらに、一体とした、（Ｇ）、（Ｆ）及び（Ｂ）を、配線収納巾木造作材本体（Ａ）に設置してある溝、配線収納巾木カバー造作材差込み口（Ｄ）（メス）に、配線収納巾木カバー造作材（Ｂ）に設置してある、配線収納巾木カバー造作材組み込み口（Ｅ）（オス）を差し込み、床との圧縮力によって、全体を固定する構造である。石膏ボードの中に配線収納カバー（Ｂ）が１１ｍｍ入り込むので配線スペースが広く取れるのがもう一つの特徴である。本発明は、以上の構成よりなる、リフォーム用配線収納巾木造作材である。
【発明を実施するための最良の形態】
【０００６】  以下本発明を実施するための最良の形態について説明する。現在、急速に普及しているインターネットなどにおいて使用するラン配線や光ケーブルを既存の住宅の部屋の隅々まで配線するのに、露出配線するのではなく配線を隠して部屋の各所に持ってゆき、パソコン及び周辺機器（プリンターやコピー機など）に接続して使い、光ケーブル配線をリフォーム用配線収納巾木造作材に納めることは光ケーブル配線を保護する目的も兼ねている。又、テレビのアンテナ線の差し込み口が無い場所でテレビを見たい場合など、テレビのアンテナ線をリフォーム用配線収納巾木の中に納めて部屋の隅々へ配線すれば綺麗に整然と配線を納めることが出来る。並びに、既存住宅においては、照明器具を新たに設置したい場合やスイッチ及びコンセントなどを増設する場合など、壁の中の配線を他の場所へ移動なければならない事が生じてくる。又、部屋内部の露出になっている電気器具のコードや電話機を移動する際、電話線などを隠して配線したい場合、このリフォーム用配線収納巾木の中に収納して綺麗に整然と収める事ができる。又、配線作業に際し壁を最小限に壊すので内装材などの貼り替えなどの補修工事が掛からない事と、又、配線収納巾木本体が石膏ボードの中に配線収納巾木カバー造作材（Ｂ）が１１ｍｍ入り込むので配線スペースが大きく取れることも最大の特徴である。既存の巾木を取り外し、石膏ボードを巾木と同じ大きさに切断撤去し（おおむね６０ｍｍから８０ｍｍ）、配線を固定する為の、配線収納巾木造作材固定背板（Ｃ）を既存建物の間柱に釘止めか、ビス止めし、固定、配線収納巾木造作材隙間調整ライナー（Ｇ）の溝の中に、配線収納巾木カバー造作材固定パッキン（Ｆ）を入れて、一体とした（Ｇ）及び（Ｆ）を、配線収納巾木カバー造作材（Ｂ）の下側に組み込み、さらに、一体とした、（Ｇ）、（Ｆ）及び（Ｂ）を、配線収納巾木造作材本体（Ａ）に設置してある溝、配線収納巾木カバー造作材差込み口（Ｄ）（メス）に、配線収納巾木カバー造作材（Ｂ）に設置してある、配線収納巾木カバー造作材組み込み口（Ｅ）（オス）を差し込み、床との圧縮力によって、全体を固定する構造である。又、建物の壁の中から配線を取り出したい場合（※他の場所に照明器具を取り付けたい場合や、スイッチやコンセントを増設したい場合など）既存建物の下枠材等をドリルなどで貫通させ、その中から配線を取り出し、配線収納巾木固定背板（Ｃ）に配線をステップルなどで固定した後、配線収納巾木隙間調整ライナー（Ｇ）の溝の中に、配線収納巾木カバー造作材固定パッキン（Ｆ）を入れて、一体とした（Ｇ）及び（Ｆ）を、配線収納巾木カバー造作材（Ｂ）の下側に組み込み、さらに、一体とした、（Ｇ）、（Ｆ）及び（Ｂ）を、配線収納巾木造作材本体（Ａ）に設置してある溝、配線収納巾木カバー造作材差込み口（Ｄ）（メス）に、配線収納巾木カバー造作材（Ｂ）に設置してある、配線収納巾木カバー造作材組み込み口（Ｅ）（オス）を差し込み、床との圧縮力によって、全体を固定する構造である。本発明は、以上の構成よりなる、リフォーム用配線収納巾木造作材である。
【図面の簡単な説明】
【０００７】
【図１】配線収納巾木造作材６０ｍｍタイプ断面図
【図２】配線用収納巾木造作材８０ｍｍタイプ断面図
【図３】配線用収納巾木造作材鳥瞰図
【図４】配線用収納巾木新築用住宅施工鳥瞰図
【図５】配線用収納巾木造作材分解断面図
【図６】配線収納巾木造作材施工順序図
【符号の説明】
【０００８】（Ａ）配線収納巾木造作材本体
（Ｂ）配線収納巾木カバー造作材
（Ｃ）配線収納巾木造作材固定背板
（Ｄ）配線収納巾木カバー造作材差込み口（メス）
（Ｅ）配線収納巾木カバー造作材組み込み口（オス）
（Ｆ）配線収納巾木造作材固定パッキン
（Ｇ）配線収納巾木造作材隙間調整ライナー
【図１】
2011021450.tif 000003
【図２】
2011021450.tif 000004
【図３】
2011021450.tif 000005
【図４】
2011021450.tif 000006
【図５】
2011021450.tif 000007
【図６】
2011021450.tif 000008